(57)【要約】【課題】シャッターケースの見栄えを良好に維持しながら、既設のシャッターケースに対しても簡単に雨垂れ音の低減対策を施すことができるシャッターケースの防音構造を提供する。【解決手段】住宅の外壁３から屋外側へ張り出したシャッターカーテン収容用のシャッターケース２に対して、その略上半分を覆うようにして防音カバー２０を被せる。この防音カバー２０における上面板２１、正面板２２及び側面板２３、２３の内面には、制振材２５・・が貼り付けてある。【選択図】図１
2008150812.tif 000002
【特許請求の範囲】
【請求項１】
構造物の外壁（３）から張り出したシャッターカーテン（４）収容用のシャッターケース（２）に、その少なくとも天面部分（１０）を覆うようにして、内面に制振材（２５）・・を貼り付けた防音カバー（２０）を被せるようにしたことを特徴とするシャッターケースの防音構造。
【請求項２】
前記防音カバー（２０）は、前記シャッターケース（２）の天面部分（１０）を全体的に覆う上面板（２１）と、前記シャッターケース（２）の正面部分（１１）を全体的若しくは部分的に覆う正面板（２２）と、前記シャッターケース（２）の両側面部分（１２）（１２）を全体的若しくは部分的に覆う一対の側面板（２３）（２３）とを備え、これら上面板（２１）、正面板（２２）及び側面板（２３）（２３）の全部若しくは一部の内面に、前記制振材（２５）・・が貼り付けてある請求項１記載のシャッターケースの防音構造。
【請求項３】
前記防音カバー（２０）の上面板（２１）の内面に、その上面板（２１）と前記シャッターケース（２）の天面部分（１０）との間の隙間への雨水の侵入を防止するための水密材（２６）・・を貼り付けてある請求項２記載のシャッターケースの防音構造。
【請求項４】
前記防音カバー（２０）の正面板（２２）の下端部及び側面板（２３）（２３）の下端部に、前記シャッターケース（２）の正面部分（１１）及び側面部分（１２）（１２）に形成した凹溝部（１３）・・に嵌り込む嵌合片（３０）・・を夫々設けて、これら嵌合片（３０）・・を前記凹溝部（１３）・・に嵌め込んだ状態で前記シャッターケース（２）の正面部分（１１）及び側面部分（１２）（１２）にビス（３１）・・止めした請求項２又は３記載のシャッターケースの防音構造。
【請求項５】
構造物の外壁（３）から張り出したシャッターカーテン（４）収容用のシャッターケース（２）に被せる防音カバー（２０）であって、前記シャッターケース（２）の天面部分（１０）を全体的に覆う上面板（２１）と、前記シャッターケース（２）の正面部分（１１）を全体的若しくは部分的に覆う正面板（２２）と、前記シャッターケース（２）の両側面部分（１２）（１２）を全体的若しくは部分的に覆う一対の側面板（２３）（２３）とを備え、これら上面板（２１）、正面板（２２）及び側面板（２３）（２３）の全部若しくは一部の内面に、前記制振材（２５）・・が貼り付けてあることを特徴とする防音カバー。
【発明の詳細な説明】
【技術分野】
【０００１】
この発明は、主として住宅やマンション等の建物に設置されるシャッターケースの防音構造及びこれに使用する防音カバーに関する。
【背景技術】
【０００２】
一般に、住宅やマンションにおける窓や出入口等の開口部に対応してシャッターを設けた場合、シャッターカーテンを収容するシャッターケースが開口部上側において外壁から屋外側へ張り出した状態となっている。このようなシャッターケースは、鋼板等によって形成されていることが多く、雨垂れが落下すると、耳障りな音が発生して、居住者に不快感を与えるといった問題があった。
【０００３】
この場合、シャッター設置後の防音対策として、シャッターケースの外上面に人工芝を貼り付けるといった対策が採られていた。また、例えば特許文献１にも開示されているように、シャッターケースの内面又は外面に制振材を貼り付けることにより、上記のような雨垂れ音を低減することができる。
【０００４】
【特許文献１】特開２００４−９２１９４号公報
【発明の開示】
【発明が解決しようとする課題】
【０００５】
しかしながら、シャッターケースの外面に人工芝や制振材を単に貼り付ける場合には、人工芝や制振材が外部に露出した状態となって、シャッターケースの見栄えが悪くなり、住宅やマンションの外観を損なうといった問題があった。
【０００６】
一方、シャッターケースの内面に制振材を貼り付けることにより、シャッターケースの見栄えを良好に維持することができるが、既設のシャッターケースの内面に制振材を貼り付けるには、そのシャッターケースを一旦取り外して、制振材を貼り付けた後に再び取り付けるといった煩雑な作業を必要とし、既設のシャッターケースに対する防音対策としては施工性に問題があった。
【０００７】
この発明は、上記不具合を解決するため、シャッターケースの見栄えを良好に維持しながら、しかも既設のシャッターケースに対しても簡単に防音対策を施すことができるシャッターケースの防音構造及びこれに使用する防音カバーの提供を目的とする。
【課題を解決するための手段】
【０００８】
上記課題を解決するため、この発明のシャッターケースの防音構造は、構造物の外壁３から張り出したシャッターカーテン収容用のシャッターケース２に、その少なくとも天面部分１０を覆うようにして、内面に制振材２５・・を貼り付けた防音カバー２０を被せるようにしたことを特徴とする。
【０００９】
具体的に、前記防音カバー２０は、前記シャッターケース２の天面部分１０を全体的に覆う上面板２１と、前記シャッターケース２の正面部分１１を全体的若しくは部分的に覆う正面板２２と、前記シャッターケース２の両側面部分１２、１２を全体的若しくは部分的に覆う一対の側面板２３、２３とを備え、これら上面板２１、正面板２２及び側面板２３、２３の全部若しくは一部の内面に、前記制振材２５・・が貼り付けてある。
【００１０】
また、前記防音カバー２０の上面板２１の内面に、その上面板２１と前記シャッターケース２の天面部分１０との間の隙間への雨水の侵入を防止するための水密材２６・・を貼り付けてある。
【００１１】
さらに、前記防音カバー２０の正面板２２の下端部及び側面板２３、２３の下端部に、前記シャッターケース２の正面部分１１及び側面部分１２、１２に形成した凹溝部１３・・に嵌り込む嵌合片３０・・を夫々設けて、これら嵌合片３０・・を前記凹溝部１３・・に嵌め込んだ状態で前記シャッターケース２の正面部分１１及び側面部分１２、１２にビス３１・・止めしている。
【００１２】
この発明の防音カバー２０は、構造物の外壁３から張り出したシャッターカーテン収容用のシャッターケース２に被せるものであって、前記シャッターケース２の天面部分１０を全体的に覆う上面板２１と、前記シャッターケース２の正面部分１１を全体的若しくは部分的に覆う正面板２２と、前記シャッターケース２の両側面部分１２、１２を全体的若しくは部分的に覆う一対の側面板２３、２３とを備え、これら上面板２１、正面板２２及び側面板２３、２３の全部若しくは一部の内面に、前記制振材２５・・が貼り付けてあることを特徴とする。
【発明の効果】
【００１３】
この発明によると、シャッターケースに対して内面に制振材を貼り付けた防音カバーを被せることで、シャッターケースの雨垂れ音を低減しているので、シャッターケースの見栄えを良好に維持しながら、既設のシャッターケースに対しても簡単に防音対策を施すことができる。
【００１４】
また、防音カバーの上面板の内面に水密材を貼り付けて、防音カバーの上面板とシャッターケースの天面部分との間の隙間への雨水の侵入を防止することで、制振材の雨水による劣化等を抑えることができ、長期に亘って安定した防音性能を維持することができる。
【００１５】
さらに、防音カバーをシャッターケースに固定するにあたって、防音カバーの嵌合片をシャッターケースの凹溝部に嵌め込んだ状態でビス止めすることで、ビスの頭部が外部から見え難くなって、見栄えを良好に維持することができる。
【発明を実施するための最良の形態】
【００１６】
以下、この発明の実施形態を図面に基づいて詳細に説明する。この発明の一実施形態に係るシャッターのシャッターケース２は、図１に示すように、住宅の窓上側において住宅の外壁３から屋外側へ張り出すように設置されている。このシャッターケース２は、例えば鋼板製であって、横長の略箱形に形成され、その内部にはシャッターカーテン４が巻回状態で収容されるようになっている。
【００１７】
シャッターケース２の天面部分１０は、屋外側へ向かうにつれて下り傾斜しており、その天面部分１０の前縁部から垂下した正面部分１１の高さ方向略中央、及び、天面部分１０の両側縁部から垂下した側面部分１２、１２の高さ方向略中央には、横向きに開放する凹溝部１３・・が横方向に連続して形成されている。
【００１８】
このような既設のシャッターケース２における雨垂れ音を低減するために、既設のシャッターケース２の略上半分を覆うようにして、防音カバー２０が被せられている。
【００１９】
防音カバー２０は、図１及び図２に示すように、シャッターケース２の天面部分１０を全体的に覆う上面板２１と、シャッターケース２の正面部分１１の略上半分を覆う正面板２２と、シャッターケース２の両側面部分１２、１２の略上半分を覆う一対の側面板２３、２３とを備え、背面側及び下面側が開放した略箱形に形成されている。この防音カバー２０は、例えば鋼板製であって、シャッターケース２の上半分と略同様の外観を呈している。
【００２０】
そして、この防音カバー２０の上面板２１、正面板２２及び両側面板２３、２３の内面に、その略全面に亘って例えばブチルゴム製の板状の制振材２５・・が貼り付けられている。また、この防音カバー２０における上面板２１の内面後端部には、防音カバー２０をシャッターケース２に被せたときに、シャッターケース２の天面部分１０の外面後端部に密接して、上面板２１と天面部分１０との間の隙間への雨水の侵入を防止する例えばエチレンプロピレンゴム(ＥＰＤＭ)製や発泡ポリエチレン製の帯板状の水密材２６・・が貼り付けられている。
【００２１】
なお、防音カバー２０の正面板２２、両側面板２３、２３は、シャッターケース２の正面部分１１、側面部分１２、１２の略上半分だけでなく、これらを全体的に覆うものであっても良い。また、制振材２５・・としては、ブチルゴム製のものだけに限定されず、雨垂れ音を低減することができれば他の素材のものであっても良く、例えばコンパネやフレキシブルボード等を用いるようにしても良い。さらに、制振材２５・・は、防音カバー２０における上面板２１、正面板２２及び両側面板２３、２３の４面すべてに必ずしも貼り付ける必要はなく、例えば上面板２１の内面にのみ貼り付けるようにしても良い。
【００２２】
また、この防音カバー２０の正面板２２の下端部及び両側面板２３、２３の下端部には、シャッターケース２の正面部分１１及び両側面部分１２、１２に形成した凹溝部１３・・に嵌り込む略Ｌ形の嵌合片３０・・が夫々形成されている。そして、図３に示すように、防音カバー２０の嵌合片３０・・をシャッターケース２の凹溝部１３・・内に嵌め込みながら、防音カバー２０をシャッターケース２に被せて、嵌合片３０・・をシャッターケース２の正面部分１１及び側面部分１２、１２にビス３１・・止めすることで、防音カバー２０をシャッターケース２に固定している。この取り付け状態において、ビス３１・・の頭部は凹溝部１３・・内に位置して外部から見え難くなっており、これによって見栄えを損なわないようにしている。
【００２３】
このように、シャッターケース２に対して内面に制振材２５・・を貼り付けた防音カバー２０を被せることで、シャッターケース２の雨垂れ音を低減しているので、従来のように人工芝や制振材が外部に露出する場合と比べて、シャッターケース２の見栄えを良好に維持することができ、しかも既設のシャッターケース２に対しても簡単に防音対策を施すことができる。
【００２４】
この発明は、上記実施形態に限定されるものではなく、この発明の範囲内で上記実施形態に多くの修正及び変更を加え得ることは勿論である。
【実施例】
【００２５】
上記構成の防音カバー２０による防音効果を確認するために、防音カバー２０を被せないシャッターケース２「供試体１」と、防音カバー２０を被せたシャッターケース２「供試体２」とを用意して、水滴落下試験を行った。
【００２６】
図４は、水滴落下試験を行うための試験室４０を示しており、その天井部分に水滴発生装置４１を備えて付けて、その直下に供試体１、供試体２を設置する。供試体１、供試体２には、騒音測定システム４２のマイクロフォン４３をセットする。なお、水滴発生装置４１から供試体１、供試体２までの距離は、３．５ｍとする。
【００２７】
そして、図５に示すように、供試体１及び供試体２の上面における一端から１０ｃｍ、一端から５０ｃｍ、中央部の各位置に、水滴発生装置４１からの模擬雨を１滴落下させて、このときに発生する雨音の１／４秒間の放射騒音値を測定する。図６は、供試体１及び供試体２の各位置における放射騒音値の３回の平均値を示している。この測定結果から明らかなように、供試体１と供試体２とを比べると約１０ｄＢの差があり、防音カバー２０を被せることによって約１０ｄＢの低減効果を期待でき、人が耳で聞き取る場合には雨垂れ音を約半分にまで抑えることができることが判明した。
【図面の簡単な説明】
【００２８】
【図１】この発明の一実施形態に係るシャッターケースの防音構造を示す分解斜視図である。
【図２】防音カバーの内面側を示す斜視図である。
【図３】防音カバーを被せたシャッターケースの内部機構を省略した縦断面図である。
【図４】水滴落下試験の試験室を示す概略図である。
【図５】供試体に対する模擬雨の落下位置を示す図である。
【図６】水滴落下試験の測定結果を示す図である。
【符号の説明】
【００２９】
２・・シャッターケース、３・・外壁、４・・シャッターカーテン、１０・・天面部分、１１・・正面部分、１２・・側面部分、１３・・凹溝部、２０・・防音カバー、２１・・上面板、２２・・正面板、２３・・側面板、２５・・制振材、２６・・水密材、３０・・嵌合片、３１・・ビス
【図１】
2008150812.tif 000003
【図２】
2008150812.tif 000004
【図３】
2008150812.tif 000005
【図４】
2008150812.tif 000006
【図５】
2008150812.tif 000007
【図６】
2008150812.tif 000008